(57)【要約】【課題】  カードバスデバイスを含めて複数のデバイスが実装される場合であってもその実装数に関係なく、Ｐｏｉｎｔ  ｔｏ  Ｍｕｌｔｉ−Ｐｏｉｎｔの形式で各デバイスを個別にアクセス可能とする。【解決手段】  本発明による装置は、ホストコントローラ１を備え、該ホストコントローラによってアクセスされるデバイスが少なくとも２つ実装され、それらの少なくとも１つがＰｏｉｎｔ  ｔｏ  Ｐｏｉｎｔを前提としたカードバスデバイス５，６である。ホストコントローラがマスタとなって前記カードバスデバイスをターゲットとしてアクセスする時、該ターゲットとなるカードバスデバイスに対してのみＦＲＡＭＥ信号を出力する制御回路２を備えた。【選択図】      図２
2008027307.tif 000002
【特許請求の範囲】
【請求項１】
ホストコントローラを備え、該ホストコントローラによってアクセスされるデバイスが少なくとも２つ実装され、それらの少なくとも１つがＰｏｉｎｔ  ｔｏ  Ｐｏｉｎｔを前提としたカードバスデバイスである装置であって、
前記ホストコントローラがマスタとなって前記カードバスデバイスをターゲットとしてアクセスする時、該ターゲットとなるカードバスデバイスに対してのみＦＲＡＭＥ信号を出力する制御回路を備えたことを特徴とする装置。
【請求項２】
前記アクセスされるデバイスとして前記カードバスデバイスのみが２つ以上実装され、前記ホストコントローラはアクセスに際してＦＲＡＭＥ制御信号を出力し、前記制御回路は前記ＦＲＡＭＥ制御信号に基づいてパスの切り替えを行って前記ＦＲＡＭＥ信号を前記ターゲットとなるカードバスデバイスに出力することを特徴とする請求項１に記載の装置。
【請求項３】
前記ホストコントローラが前記カードバスデバイスにアクセスしない時には、前記制御回路はすべてのカードバスデバイスに対して前記ＦＲＡＭＥ信号を接続し、この状態では、いずれか１つのカードバスデバイスのみがマスタとなって前記ホストコントローラにアクセス可能とされることを特徴とする請求項２に記載の装置。
【請求項４】
前記アクセスされるデバイスとして前記カードバスデバイスが１つ以上、Ｐｏｉｎｔ  ｔｏ  Ｍｕｌｔｉ−Ｐｏｉｎｔを前提としたＰＣＩデバイスが１つ以上それぞれ実装され、前記ホストコントローラがマスタとなって前記カードバスデバイスをターゲットとしてアクセスする時、ＦＲＡＭＥ制御信号を出力し、前記制御回路は前記ＦＲＡＭＥ制御信号に基づいてパスの切り替えを行って前記ＦＲＡＭＥ信号を前記ターゲットとなるカードバスデバイスに出力することを特徴とする請求項１に記載の装置。
【請求項５】
前記ホストコントローラと前記ＰＣＩデバイスの間がＩＤＳＥＬで直接接続可能にされており、前記ホストコントローラがマスタとなって前記ＰＣＩデバイスをアクセスする時にはターゲットとなる前記ＰＣＩデバイスに該当するＩＤＳＥＬをアクティブにすると共に、前記ＦＲＡＭＥ制御信号により前記制御回路をオフにすることを特徴とする請求項４に記載の装置。
【請求項６】
請求項１〜５のいずれかに記載の装置を備えたことを特徴とする通信端末機器。
【請求項７】
ホストコントローラを備え、該ホストコントローラによってアクセスされるデバイスが少なくとも２つ実装され、それらの少なくとも１つがＰｏｉｎｔ  ｔｏ  Ｐｏｉｎｔを前提としたカードバスデバイスである装置におけるアクセス制御方法であって、
前記ホストコントローラがマスタとなって前記カードバスデバイスをターゲットとしてアクセスする時、該ターゲットとなるカードバスデバイスに対してのみＦＲＡＭＥ信号を出力してアクセス可能とすることを特徴とするアクセス制御方法。
【請求項８】
前記アクセスされるデバイスとして前記カードバスデバイスのみが２つ以上実装され、前記ホストコントローラはアクセスに際してＦＲＡＭＥ制御信号を出力し、該ＦＲＡＭＥ制御信号に基づいて前記ＦＲＡＭＥ信号を前記ターゲットとなるカードバスデバイスに出力してアクセス可能とすることを特徴とする請求項７に記載のアクセス制御方法。
【請求項９】
前記ホストコントローラが前記カードバスデバイスにアクセスしない時には、すべてのカードバスデバイスに対して前記ＦＲＡＭＥ信号を接続し、この状態では、いずれか１つのカードバスデバイスのみがマスタとなって前記ホストコントローラにアクセス可能とされることを特徴とする請求項８に記載のアクセス制御方法。
【請求項１０】
前記アクセスされるデバイスとして前記カードバスデバイスが１つ以上、Ｐｏｉｎｔ  ｔｏ  Ｍｕｌｔｉ−Ｐｏｉｎｔを前提としたＰＣＩデバイスが１つ以上それぞれ実装され、前記ホストコントローラがマスタとなって前記カードバスデバイスをターゲットとしてアクセスする時、ＦＲＡＭＥ制御信号を出力し、該ＦＲＡＭＥ制御信号に基づいて前記ＦＲＡＭＥ信号を前記ターゲットとなるカードバスデバイスに出力してアクセス可能にすることを特徴とする請求項７に記載のアクセス制御方法。
【請求項１１】
前記ホストコントローラと前記ＰＣＩデバイスの間がＩＤＳＥＬで直接接続可能にされており、前記ホストコントローラがマスタとなって前記ＰＣＩデバイスをアクセスする時にはターゲットとなる前記ＰＣＩデバイスに該当するＩＤＳＥＬをアクティブにすると共に、前記ＦＲＡＭＥ制御信号により前記ＦＲＡＭＥ信号をカードバスデバイスに入力させないようにすることを特徴とする請求項１０に記載のアクセス制御方法。
【発明の詳細な説明】
【技術分野】
【０００１】
本発明は、カードバスデバイスを備えた装置及びそのアクセス制御方法に関する。
【背景技術】
【０００２】
パーソナルコンピュータの拡張機能の一つに、ローカルバスとして規格化されたＰＣＩ（Ｐｅｒｉｐｈｅｒａｌ  Ｃｏｍｐｏｎｅｎｔ  Ｉｎｔｅｒｃｏｎｎｅｃｔ）バスがある。このＰＣＩバスにはＰＣＩコネクタを介してＰＣＩデバイスを搭載したＰＣＩカードを接続することができる。一方、ＰＣＩバスと同等の機能を実現するために規格化されたカードバス（Ｃａｒｄｂｕｓ）がある。
【０００３】
これまで、カードバスデバイスの多くは１対１の関係で接続されてきたが、更なる拡張性の要望からカードバスをはじめとする外部インターフェースの多接続化が望まれてきている。しかし、Ｐｏｉｎｔ  ｔｏ  Ｐｏｉｎｔとされるカードバスデバイスの多接続化には、制御の面で問題があった。
【０００４】
一方、Ｐｏｉｎｔ  ｔｏ  Ｍｕｌｔｉ−Ｐｏｉｎｔを前提としたＰＣＩバスの場合、複数のＰＣＩデバイスを実装し、ホストコントローラがマスタとなる時、ＩＤＳＥＬ（ターゲットデバイスを指定する信号）によってターゲットデバイスを特定するようにしていた。しかし、複数のＰＣＩデバイスの中にＰｏｉｎｔ  ｔｏ  Ｐｏｉｎｔを前提としたカードバスデバイスが含まれると、カードバスデバイスはＩＤＳＥＬの概念を持たないためターゲットデバイスとして特定することができないという問題を抱えていた。
【０００５】
また、この種のＰＣＩデバイスに関連した拡張機能実現の手法として特許文献１に開示された技術がある。特許文献１には、簡単に説明すると、汎用のＰＣＩデバイスをカードバス用のＰＣカードに内蔵されるＬＳＩとして利用することができるインターフェース回路を提供することを課題とし、このインターフェース回路をカードバス用インターフェース回路として内蔵したカードバス用ＰＣカードについて記載している。しかし、この手法ではカードバス用ＰＣカード個々にインターフェース回路を内蔵させる必要があり、既存のＰＣカードに適用することは困難である。
【０００６】
【特許文献１】特開平１１−１２０１２０号公報
【発明の開示】
【発明が解決しようとする課題】
【０００７】
そこで、本発明の課題は、カードバスデバイスを含めて複数のデバイスが実装される場合であってもその実装数に関係なく、Ｐｏｉｎｔ  ｔｏ  Ｍｕｌｔｉ−Ｐｏｉｎｔの形式で各デバイスを個別にアクセス可能とすることにある。
【課題を解決するための手段】
【０００８】
本発明によれば、ホストコントローラを備え、該ホストコントローラによってアクセスされるデバイスが少なくとも２つ実装され、それらの少なくとも１つがＰｏｉｎｔ  ｔｏ  Ｐｏｉｎｔを前提としたカードバスデバイスである装置であって、前記ホストコントローラがマスタとなって前記カードバスデバイスをターゲットとしてアクセスする時、該ターゲットとなるカードバスデバイスに対してのみＦＲＡＭＥ信号を出力する制御回路を備えたことを特徴とする装置が提供される。
【０００９】
本装置の第１の態様においては、前記アクセスされるデバイスとして前記カードバスデバイスのみが２つ以上実装され、前記ホストコントローラはアクセスに際してＦＲＡＭＥ制御信号を出力し、前記制御回路は前記ＦＲＡＭＥ制御信号に基づいてパスの切り替えを行って前記ＦＲＡＭＥ信号を前記ターゲットとなるカードバスデバイスに出力する。一方、前記ホストコントローラが前記カードバスデバイスにアクセスしない時には、前記制御回路はすべてのカードバスデバイスに対して前記ＦＲＡＭＥ信号を接続し、この状態では、いずれか１つのカードバスデバイスのみがマスタとなって前記ホストコントローラにアクセス可能とされる。
【００１０】
本装置の第２の態様においては、前記アクセスされるデバイスとして前記カードバスデバイスが１つ以上、Ｐｏｉｎｔ  ｔｏ  Ｍｕｌｔｉ−Ｐｏｉｎｔを前提としたＰＣＩデバイスが１つ以上それぞれ実装され、前記ホストコントローラがマスタとなって前記カードバスデバイスをターゲットとしてアクセスする時、ＦＲＡＭＥ制御信号を出力し、前記制御回路は前記ＦＲＡＭＥ制御信号に基づいてパスの切り替えを行って前記ＦＲＡＭＥ信号を前記ターゲットとなるカードバスデバイスに出力する。一方、前記ホストコントローラと前記ＰＣＩデバイスの間がＩＤＳＥＬで直接接続可能にされ、前記ホストコントローラがマスタとなって前記ＰＣＩデバイスをアクセスする時にはターゲットとなる前記ＰＣＩデバイスに該当するＩＤＳＥＬをアクティブにすると共に、前記ＦＲＡＭＥ制御信号により前記制御回路をオフにする。
【００１１】
本発明によればまた、上記のいずれかの装置を備えたことを特徴とする通信端末機器が提供される。
【００１２】
本発明によれば更に、ホストコントローラを備え、該ホストコントローラによってアクセスされるデバイスが少なくとも２つ実装され、それらの少なくとも１つがＰｏｉｎｔ  ｔｏ  Ｐｏｉｎｔを前提としたカードバスデバイスである装置におけるアクセス制御方法であって、前記ホストコントローラがマスタとなって前記カードバスデバイスをターゲットとしてアクセスする時、該ターゲットとなるカードバスデバイスに対してのみＦＲＡＭＥ信号を出力してアクセス可能とすることを特徴とするアクセス制御方法が提供される。
【００１３】
本アクセス制御方法の第１の態様においては、前記アクセスされるデバイスとして前記カードバスデバイスのみが２つ以上実装され、前記ホストコントローラはアクセスに際してＦＲＡＭＥ制御信号を出力し、該ＦＲＡＭＥ制御信号に基づいて前記ＦＲＡＭＥ信号を前記ターゲットとなるカードバスデバイスに出力してアクセス可能とする。一方、前記ホストコントローラが前記カードバスデバイスにアクセスしない時には、すべてのカードバスデバイスに対して前記ＦＲＡＭＥ信号を接続し、この状態では、いずれか１つのカードバスデバイスのみがマスタとなって前記ホストコントローラにアクセス可能とされる。
【００１４】
本アクセス制御方法の第２の態様においては、前記アクセスされるデバイスとして前記カードバスデバイスが１つ以上、Ｐｏｉｎｔ  ｔｏ  Ｍｕｌｔｉ−Ｐｏｉｎｔを前提としたＰＣＩデバイスが１つ以上それぞれ実装され、前記ホストコントローラがマスタとなって前記カードバスデバイスをターゲットとしてアクセスする時、ＦＲＡＭＥ制御信号を出力し、該ＦＲＡＭＥ制御信号に基づいて前記ＦＲＡＭＥ信号を前記ターゲットとなるカードバスデバイスに出力してアクセス可能にする。一方、前記ホストコントローラと前記ＰＣＩデバイスの間がＩＤＳＥＬで直接接続可能にされ、前記ホストコントローラがマスタとなって前記ＰＣＩデバイスをアクセスする時にはターゲットとなる前記ＰＣＩデバイスに該当するＩＤＳＥＬをアクティブにすると共に、前記ＦＲＡＭＥ制御信号により前記ＦＲＡＭＥ信号をカードバスデバイスに入力させないようにする。
【００１５】
以上のことから理解できるように、本発明においては、既存のＰＣＩカードを実装できる回路構成を有したハードウェア回路におけるアクセス制御を目的としている。
【００１６】
本発明の制御回路はＦＲＡＭＥ信号のみをオン／オフ制御することを主としており、このＦＲＡＭＥ信号のみのオン／オフで、アクセスしたいターゲットデバイスのみにＦＲＡＭＥ信号を入力する。
【００１７】
ＦＲＡＭＥ信号が入力されない非ターゲットデバイスはＦＲＡＭＥ信号以外の信号が入力されるが、ＦＲＡＭＥ信号が入力されないため、アドレスやデータは有効にならない。
【００１８】
本発明では、接続されるＰＣＩデバイスやカードバスデバイス等のデバイス数に関係なくＦＲＡＭＥ信号の切り替えを行う制御回路ひとつで対応できる。
【発明の効果】
【００１９】
本発明によれば、カードバスデバイスを含めて複数のデバイスが実装される場合であってもその実装数に関係なく、Ｐｏｉｎｔ  ｔｏ  Ｍｕｌｔｉ−Ｐｏｉｎｔの形式で各デバイスを個別にアクセスすることが可能となる。
【発明を実施するための最良の形態】
【００２０】
本発明は通信端末機器において、Ｐｏｉｎｔ  ｔｏ  Ｐｏｉｎｔとされるカードバスデバイスを含むデバイスを複数実装した場合、ホストコントローラが同時にクライアントに対しコンフィグレーションを行う際の制御を可能とした回路構成に特徴を有する。
【００２１】
図１を参照して上記特徴を実現するための本発明の基本概念について説明する。図１ではホストコントローラ１に対して、Ｐｏｉｎｔ  ｔｏ  Ｍｕｌｔｉ−Ｐｏｉｎｔとされる複数のＰＣＩデバイス３−１〜３−Ｎ（Ｎは正の整数）が接続されると共に、Ｐｏｉｎｔ  ｔｏ  Ｐｏｉｎｔとされる複数のカードバスデバイス４−１〜４−Ｎが制御回路２を介して接続されている。なお、ＰＣＩデバイス、カードバスデバイスのいずれもカード形式にて実装されるものであるが、便宜上、カードの形態、バス及びコネクタについては図示を省略している。これは以降で説明される図２、図５、図６でも同様である。
【００２２】
図１において、ホストコントローラ１は、ＩＤＳＥＬを持つＰＣＩデバイス３−１〜３−Ｎに対しては任意にアクセスすることができる。一方、カードバスデバイス４−１〜４−Ｎに対しては、ホストコントローラ１からのＦＲＡＭＥ信号を制御回路２で切り替えてターゲットとするカードバスデバイスに送ることでアクセスする。つまり、ホストコントローラ１がカードバスデバイスを含む複数のデバイスへアクセスする場合、ターゲットとなるカードバスデバイスに対してのみＦＲＡＭＥ信号を入力できるようにすることで複数のデバイスの制御を可能としている。
【００２３】
このように、本発明では、Ｐｏｉｎｔ  ｔｏ  Ｐｏｉｎｔとされるカードバスデバイスであっても、これを複数接続し、しかもＦＲＡＭＥ信号を切り替えて入力できるようにすることでＰｏｉｎｔ  ｔｏ  Ｍｕｌｔｉ−Ｐｏｉｎｔと同等の機能を持たせることが可能となる。
【００２４】
［第１の実施例］
図２に本発明の第１の実施例による構成を示す。第１の実施例では、ホストコントローラ１に２つのカードバスデバイス５、６が接続されているものとする。この場合、ホストコントローラ１のＦＲＡＭＥ信号は制御回路２を介してカードバスデバイス５、６に接続される。また、制御回路２にはホストコントローラ１のＦＲＡＭＥ制御信号を入力している。
【００２５】
なお、図３には制御回路２の一例を示し、図４にはホストコントローラ１によるカードバスデバイス５、６へのアクセス制御のフローチャートを示す。
【００２６】
図３、図４をも参照して、図２のカードバスデバイス５、６へのアクセス制御方法について説明する。
【００２７】
図４のステップＳ１、Ｓ２において、ホストコントローラ１がカードバスデバイス５にアクセスした場合、制御回路２はＦＲＡＭＥ制御信号によりＦＲＡＭＥ信号の切り替えを行う。この場合は、制御回路２内のカードバスデバイス５用のパスＡがオンになり、カードバスデバイス６用のパスＢはオフとなる(ここでオンとはホストコントローラ１のＦＲＡＭＥとカードバスデバイスのＦＲＡＭＥ間の短絡を意味し、オフは開放を意味する)（ステップＳ３）。これによりカードバスデバイス６側にはＦＲＡＭＥ信号が伝わらず、カードバスデバイス５にのみ通信が可能となる（ステップＳ５）。
【００２８】
同様に、ホストコントローラ１がカードバスデバイス６にアクセスした場合、制御回路２はＦＲＡＭＥ制御信号によりＦＲＡＭＥ信号の切り替えを行う。この場合、制御回路２内でパスＢがオン、パスＡがオフとなる（ステップＳ４）。これによりカードバスデバイス５側にはＦＲＡＭＥ信号が伝わらず、カードバスデバイス６にのみ通信が可能となる（ステップＳ５）。
【００２９】
このようにＩＤＳＥＬの無いカードバスデバイスを２つ実装した場合でも１つのＦＲＡＭＥ信号でアクセス制御することができる。
【００３０】
なお、ホストコントローラ１がカードバスデバイスにアクセスしない時は制御回路２につながったＦＲＡＭＥ信号は全てオンとする。つまり、ホストコントローラ１、カードバスデバイス５、６のＦＲＡＭＥは全て接続されている状態となる。この時カードバスデバイス５がマスタとなってホストコントローラ１にアクセスする場合、カードバスデバイス５とホストコントローラ１の間のＲＥＱ１信号とＧＮＴ１信号の通信により、競合回路のバス使用権の特定が実施される。ここで、カードバスデバイス５のためのＲＥＱ１信号及びＧＮＴ１信号とカードバスデバイス６のためのＲＥＱ２信号及びＧＮＴ２信号とは排他的に動作するため、マスタとならなかったカードバスデバイス６は、カードバスデバイス５が通信している間、通信を開始できない。同様なことはカードバスデバイス６がマスタとなった時にも言える。このように、常にＦＲＡＭＥ信号が入力された状態でもアクセス、非アクセスの識別が可能であり、カードバスデバイス側がマスタとなった時でも問題無い。
【００３１】
図２は、カードバスデバイスが２個実装されている最も簡単な例を示しており、３個以上実装される場合にも原理は同じである。勿論、制御回路２では、ホストコントローラ２からのＦＲＡＭＥ制御信号により３個以上のカードバスデバイスの中からターゲットとなるカードバスデバイスを選択するように切り替え制御を実行する。
【００３２】
第１の実施例の効果は以下の通りである。
【００３３】
第１の効果は、複数のカードバスデバイスを実装した場合であってもアクセスする時、ホストコントローラで制御回路をコントロールすることにより、ターゲットのカードバスデバイスをアクティブにすることができる。
【００３４】
第２の効果は、単一のＦＲＡＭＥ信号で複数のカードバスデバイスに対してＰｏｉｎｔ  ｔｏ  Ｍｕｌｔｉ−Ｐｏｉｎｔの形式でアクセスすることができる。
【００３５】
第３の効果は、既存のカードバスデバイスであっても適用可能である。
【００３６】
［第２の実施例］
図５を参照して本発明の第２の実施例について説明する。第２の実施例は、その基本的構成は第１の実施例と同じであるが、拡張性について工夫している。
【００３７】
図５は、ＩＤＳＥＬを持つ１つのＰＣＩデバイス７と１つのカードバスデバイス８を実装した例を示している。ホストコントローラ１のＦＲＡＭＥにＰＣＩデバイス７のＦＲＡＭＥが直接接続され、カードバスデバイス８のＦＲＡＭＥは制御回路２を介して接続されている。勿論、制御回路２にはホストコントローラ１からＦＲＡＭＥ制御信号が与えられる。また、ホストコントローラ１のＩＤＳＥＬにＰＣＩデバイス７のＩＤＳＥＬが直接接続されている。
【００３８】
図５において、ホストコントローラ１がＰＣＩデバイス７にアクセスする時には、ＩＤＳＥＬによってターゲットデバイス、つまりＰＣＩデバイス７をアクティブにする。この時ホストコントローラ１は、カードバスデバイス８をインアクティブにするためＦＲＡＭＥ制御信号により制御回路２をオフにし、ＦＲＡＭＥ信号がカードバスデバイス８入力されないようにする。
【００３９】
一方、ホストコントローラ１がカードバスデバイス８にアクセスする時には、ＦＲＡＭＥ制御信号により制御回路２をオンにし、ＦＲＡＭＥ信号をカードバスデバイス８に入力させることでアクセス可能となる。この時、ＰＣＩデバイス７のＩＤＳＥＬはインアクティブとする。
【００４０】
このように、第２の実施例では、ＰＣＩデバイスとカードバスデバイスが実装された場合でもＰｏｉｎｔ  ｔｏ  Ｍｕｌｔｉ−Ｐｏｉｎｔの形式でアクセス可能である。
【００４１】
［第３の実施例］
図６を参照して本発明の第３の実施例について説明する。第３の実施例も、その基本的構成は第１の実施例と同じであるが、拡張性について工夫している。
【００４２】
図６は、ＩＤＳＥＬを持つ複数のＰＣＩデバイス３−１〜３−Ｎと複数のカードバスデバイス４−１〜４−Ｎを実装した例を示している。ホストコントローラ１のＦＲＡＭＥにＰＣＩデバイス３−１〜３−Ｎの各ＦＲＡＭＥが直接接続され、カードバスデバイス４−１〜４−Ｎの各ＦＲＡＭＥは制御回路２を介して接続されている。勿論、制御回路２にはホストコントローラ１からＦＲＡＭＥ制御信号が与えられる。また、ホストコントローラ１のＩＤＳＥＬ＿Ａ〜ＩＤＳＥＬ＿ＮにＰＣＩデバイス３−１〜３−ＮのＩＤＳＥＬ＿Ａ〜ＩＤＳＥＬ＿Ｎがそれぞれ直接接続されている。
【００４３】
図６において、ホストコントローラ１のターゲットがＰＣＩデバイス、例えばＰＣＩデバイス３−１の時、ＰＣＩデバイス３−１に割り当てられたＩＤＳＥＬ信号（ＩＤＳＥＬ＿Ａ）を出力することで特定のＰＣＩデバイスを選択できる。この時制御回路２はオフとされる。
【００４４】
一方、ターゲットがカードバスデバイス、例えばカードバスデバイス４−１の時、ＩＤＳＥＬ＿Ａ〜ＩＤＳＥＬ＿Ｎはインアクティブとされ、ホストコントローラ１からのＦＲＡＭＥ制御信号に基づく制御回路２の切り替え機能によりターゲットデバイス４−１のみにＦＲＡＭＥ信号が接続されることでアクティブとなる。
【００４５】
このようにして、第３の実施例によれば、任意の数のＰＣＩデバイス、カードバスデバイスに対してＰｏｉｎｔ  ｔｏ  Ｍｕｌｔｉ−Ｐｏｉｎｔの形式でアクセスすることができる。
【産業上の利用可能性】
【００４６】
本発明による技術は、パーソナルコンピュータの他、主に情報通信分野における通信端末機器への適用に適している。
【図面の簡単な説明】
【００４７】
【図１】図１は、本発明の基本概念を説明するためのブロック図である。
【図２】図２は、本発明の第１の実施例による装置構成を示すブロック図である。
【図３】図３は、本発明において用いられる制御回路の作用を説明するための図である。
【図４】図４は、本発明の第１の実施例の動作を説明するためのフローチャート図である。
【図５】図５は、本発明の第２の実施例による装置構成を示すブロック図である。
【図６】図５は、本発明の第３の実施例による装置構成を示すブロック図である。
【符号の説明】
【００４８】
１    ホストコントローラ
２    制御回路
３−１〜３−Ｎ、７    ＰＣＩデバイス
４−１〜４−Ｎ、５、６、８    カードバスデバイス
【図１】
2008027307.tif 000003
【図２】
2008027307.tif 000004
【図３】
2008027307.tif 000005
【図４】
2008027307.tif 000006
【図５】
2008027307.tif 000007
【図６】
2008027307.tif 000008